(57)【要約】【課題】  ダイナミックフォーカス電圧の印加時に陰極線管装置の周囲で人間の耳に認識される可聴域のノイズ音を低減する。【解決手段】  ファンネル２のネック部３内に、偏向に応じてダイナミックに変化するフォーカス電圧が印加されるダイナミックフォーカスタイプの電子銃４を備え、電子銃の先端にアンテナゲッター５が保持されている。アンテナゲッター５は、ゲッター容器５１と、一端が電子銃の先端に固定され、他端がゲッター容器に接続されたゲッター支持用支柱５２と、ゲッター容器に固定されたサポートワイヤー５３とを備える。ゲッター容器は、ゲッター支持用支柱の弾性力により、サポートワイヤーを介してファンネルの内面に１点で圧接されている。【選択図】  図１
2006164886.tif 000002
【特許請求の範囲】
【請求項１】
ファンネルと、前記ファンネルのネック部内に収納された、偏向に応じてダイナミックに変化するフォーカス電圧が印加されるダイナミックフォーカスタイプの電子銃と、前記電子銃の先端に保持されたアンテナゲッターとを備えた陰極線管装置であって、
前記アンテナゲッターは、ゲッター容器と、一端が前記電子銃の先端に固定され、他端が前記ゲッター容器に接続されたゲッター支持用支柱と、前記ゲッター容器に固定されたサポートワイヤーとを備え、
前記ゲッター容器は、前記ゲッター支持用支柱の弾性力により、前記サポートワイヤーを介して前記ファンネルの内面に１点で圧接されていることを特徴とする陰極線管装置。
【請求項２】
前記サポートワイヤーの前記ファンネルの内面に対する押力Ｆが、
０．０２５Ｎ≦Ｆ≦０．２Ｎ
を満足する請求項１に記載の陰極線管装置。
【請求項３】
前記サポートワイヤーの前記ファンネルの内面に接触するコンタクト部は、その曲率半径をＲ、幅をＷとしたとき、
０．５ｍｍ≦Ｒ≦２４ｍｍ
１ｍｍ≦Ｗ≦８ｍｍ
を満たす凸曲面である請求項１に記載の陰極線管装置。
【請求項４】
サポートワイヤーがスリット孔を有している請求項１に記載の陰極線管装置。
【請求項５】
前記ゲッター支持用支柱と前記サポートワイヤーとが一体成形されている請求項１に記載の陰極線管装置。
【発明の詳細な説明】
【技術分野】
【０００１】
本発明は、陰極線管装置に関する。特に、偏向に応じてダイナミックに変化するフォーカス電圧が印加されるダイナミックフォーカスタイプの電子銃と、その先端に溶接されたアンテナゲッターとを備えた陰極線管装置に関する。
【背景技術】
【０００２】
図７に陰極線管装置の一例の断面図を示す。以下の説明の便宜のために、管軸をＺ軸、スクリーンの長辺方向と平行でＺ軸と直交する軸をＸ軸、スクリーンの短辺方向と平行でＺ軸及びＸ軸と直交する軸をＹ軸とする。
【０００３】
一般に陰極線管は、ガラスを成形してなるパネル１、ファンネル２、及びネック部３から成る真空外囲器と、ネック部３内に設置され、電子ビーム８を出射する電子銃４と、電子銃４の先端部に溶接固着されたアンテナゲッター５とを備えている。陰極線管装置は、この陰極線管と、ファンネル２の外周面上に搭載された偏向ヨーク６とを備える。陰極線管は、更に、パネル１の内面に形成された蛍光体スクリーン、蛍光体スクリーンに対向するシャドウマスク、電子ビーム８を外部磁界から隔離する内部磁気シールド等を備えるが、図７ではこれらを省略している。
【０００４】
図８に電子銃４の概略構成を示す。電子銃４は、陰極９、制御電極１０、加速電極１１、第１集束電極１２、第２集束電極１３、陽極電極１４をこの順に有する。陽極電極１４の第２集束電極１３とは反対側の端面にはトップユニット１５（図９参照）が接続される。制御電極１０には電位Ｖｇ１が、加速電極１１には電位Ｖｇ２が、第１集束電極１２には電位Ｖｆｏｃ１が、第２集束電極１３には偏向に応じてダイナミックに変化する電位Ｖｆｏｃ２が、陽極電極１４には電位Ｖａが、それぞれ印加される。加速電極１１と第１集束電極１２との間にプリフォーカスレンズが形成され、第１集束電極１２と第２集束電極１３との間に四極レンズが形成され、第２集束電極１３と陽極電極１４との間に主レンズが形成される。第１集束電極１２と第２集束電極１３との間に形成される四極レンズによって、画面中央部と画面周辺部とで集束力を変化させ、画面全域にわたって良好なフォーカス性能を実現している。
【０００５】
図９は、図７の陰極線管装置のネック部３からファンネル２に至る部分の拡大断面図である。図９では偏向ヨーク６の図示を省略している。アンテナゲッター５は、弾性部材からなるゲッター支持用支柱（以下、「支柱」という）１６、カップ形状を有するゲッター容器１７、及びサポートワイヤー１８を備える。支柱１６の一端は電子銃４の先端に設けられた円筒形状のトップユニット１５に溶接されており、他端はゲッター容器１７の底面に溶接されている。ゲッター容器１７の底面には、更にサポートワイヤー１８が溶接されている（例えば特許文献１参照）。
【０００６】
図１０（Ａ）は、パネル１側からアンテナゲッター５を見た正面図、図１０（Ｂ）は、ゲッター容器１７の底面に取り付けられたサポートワイヤー１８がファンネルの内面に接触している状態を示した図である。サポートワイヤー１８は一本の連続したワイヤーからなり、その略中央部がゲッター容器１７の底面に溶接されている。サポートワイヤー１８のゲッター容器１７との溶接箇所より両側の脚部１８ａ，１８ｂはそれぞれ屈曲変形されて、図１０（Ｂ）に示すように、ファンネル２の内面と点Ｐａ，Ｐｂにてそれぞれ接触している。脚部１８ａ，１８ｂのファンネル２の内面に対する接触押力は、支柱１６の弾性力により生じている。
【０００７】
ゲッター容器１７内にはゲッター物質（例えばバリウム）が保持されている。陰極線管内を真空排気した後、ファンネル２の外側からゲッター容器１７を高周波加熱することで、ゲッター物質を蒸発させて、パネル１の内面及びファンネル２の内面に蒸着させる。蒸着形成されたゲッター物質からなる薄膜は陰極線管内に残留する活性ガスを吸着するので、真空度を良化させることができる。
【０００８】
ゲッター容器１７は、ゲッター物質の蒸発後も、サポートワイヤー１８の２つの脚部１８ａ，１８ｂを介してファンネル２の内面に２点Ｐａ，Ｐｂで支持され、支柱１６の弾性力でファンネル２の内面に圧着保持される。
【０００９】
支柱１６がファンネル２の内面から大きく離れると、電子ビーム８が支柱１６やゲッター容器１７に衝突し、本来発光すべきでない箇所が発光するハレーション現象や画像の一部が欠落するシャドウ現象が生じる。また反対に、支柱１６がファンネル２の内面に接触すると、製造時や運搬時の振動によって、ファンネル２の内面に塗布された導電性を有するダックが支柱１６によって擦り剥がされ、異物を発生させる。この異物が例えば電子銃の電極部に付着すると高圧品質を劣化させる。そのため、支柱１６およびゲッター容器１７は、ファンネル２の内面に沿い、且つ内面に対してほぼ一定の距離を保つように（即ちほぼ平行に）設計されている。
【００１０】
陰極線管装置の駆動に伴い、第２集束電極１３にダイナミックフォーカス電圧が印加されると、第１集束電極１２と第２集束電極１３との間の電位差、及び第２集束電極１３と陽極電極１４との間の電位差が時間的に変化する。これにともない、それぞれの電極間の静電引力が時間的に変化し、電極部品が振動する。この振動は、電子銃４から、トップユニット１５、支柱１６、ゲッター容器１７、サポートワイヤー１８へと伝達される。
【００１１】
支柱１６及びゲッター容器１７が、ファンネル２の内面に沿い、且つ内面に対してほぼ一定の距離を保っており、しかも、図１０（Ｂ）に示すように、サポートワイヤー１８の２つの脚部１８ａ，１８ｂがいずれも所定の接触押力以上の力でファンネル２の内面に接触している場合には、サポートワイヤー１８を通じてファンネル２に伝わる振動によって発生する可聴域の周波数成分の音は極めて小さいため、陰極線管装置の周囲で人間の耳にノイズ音が認識されることはない。
【特許文献１】特開２００１−２９１４７９号公報
【発明の開示】
【発明が解決しようとする課題】
【００１２】
図１１（Ａ）及び図１１（Ｂ）に示すように、支柱１６はＺ軸を含む面（例えばＹＺ面）に沿ってトップユニット１５に取り付けられなければならない。ところが、図１２（Ａ）及び図１２（Ｂ）に示すように、支柱１６がＺ軸を含む面（例えばＹＺ面）と交差するように斜めに取り付けられた場合や、図１１（Ａ）及び図１１（Ｂ）に示すように適正に取り付けられた後に、製造過程や運搬時、駆動時に陰極線管装置に外部から衝撃が加えられたことにより支柱１６が変形した場合には、図１３（Ａ）及び図１３（Ｂ）に示すように、支柱１６およびゲッター容器１７とファンネル２の内面との平行性が悪化し、ファンネル２の内面に対してゲッター容器１７が傾き、サポートワイヤー１８の２つの脚部１８ａ，１８ｂのうちの一方１８ａがファンネル２の内面から離れる。
【００１３】
この状態で電子銃４からサポートワイヤー１８に振動が伝達されると、浮き上がった脚部１８ａとファンネル２の内面との間で、ダイナミックフォーカス電圧波形に含まれる僅かな可聴域の周波数成分を増大させる現象（以後、共振現象）が生じ、ファンネル２を通じて、陰極線管装置の周囲で人間の耳にノイズ音が認識されるという問題が生じる。
【００１４】
近年の陰極線管装置では、偏向電力を低減するため、図１４に示すように、ファンネル２として、ＸＹ断面形状が略円形である、いわゆる丸型コーン２ａに代えて、略長方形である、いわゆる角型コーン２ｂが用いられることが多い。ファンネル２の内面のサポートワイヤー１８が接する部分は、丸形コーン２ａでは曲面であるのに対して、角型コーン２ｂではほぼ平面である。従って、図１５（Ａ）に示す丸型コーン２ａの場合に比べて、図１５（Ｂ）に示す角型コーン２ｂでは、支柱１６及びゲッター容器１７のファンネル２の内面に対する平行性がわずかでも悪化すると、サポートワイヤー１８の２つの脚部１８ａ，１８ｂのうちの一方がファンネル２の内面から浮き上がりやすくなる。
【００１５】
さらに、近年の陰極線管装置では、映像信号に含まれる情報量の増大に伴って、偏向周波数が高くなり、ゲッター容器１７に生じる渦電流により画像歪が発生しやすくなっている。この画像歪を低減するためゲッター容器１７を偏向磁界から遠ざけるよう、支柱１７を従来に比べて長く設計されるようになっている。これも、支柱１６及びゲッター容器１７のファンネル２の内面に対する平行性を悪化させやすく、サポートワイヤー１８の２つの脚部１８ａ，１８ｂのうちの一方がファンネル２の内面から離れる要因となる。
【００１６】
本発明は、上記のような問題を解決するためになされたものであり、偏向に応じてダイナミックに変化するフォーカス電圧が印加されるダイナミックフォーカスタイプの電子銃を備え、かつ、その先端にアンテナゲッターが溶接された陰極線管装置において、ダイナミックフォーカス電圧の印加時に陰極線管装置の周囲で人間の耳に認識される可聴域のノイズ音を低減することを目的とする。
【課題を解決するための手段】
【００１７】
本発明に係る陰極線管装置は、ファンネルと、前記ファンネルのネック部内に収納された、偏向に応じてダイナミックに変化するフォーカス電圧が印加されるダイナミックフォーカスタイプの電子銃と、前記電子銃の先端に保持されたアンテナゲッターとを備える。
【００１８】
前記アンテナゲッターは、ゲッター容器と、一端が前記電子銃の先端に固定され、他端が前記ゲッター容器に接続されたゲッター支持用支柱と、前記ゲッター容器に固定されたサポートワイヤーとを備える。
【００１９】
そして、前記ゲッター容器は、前記ゲッター支持用支柱の弾性力により、前記サポートワイヤーを介して前記ファンネルの内面に１点で圧接されていることを特徴とする。
【発明の効果】
【００２０】
本発明によれば、アンテナゲッターの電子銃に対する取付け誤差や、取付け後の外部からの振動や衝撃などにより、ゲッター容器がファンネルの内面に対して傾いたとしても、サポートワイヤーはファンネルの内面から離れることなく、１点で圧接され続ける。従って、電子銃の電極にダイナミックフォーカス電圧を印加時に、可聴域の周波数成分を含む共振現象の発生を防ぐことができるので、陰極線管装置の外部において人間の耳に認識される可聴域のノイズ音を低減することができる。
【発明を実施するための最良の形態】
【００２１】
以下、本発明を一実施形態を示しながら図面を用いて説明する。
【００２２】
本発明の陰極線管装置の基本構成は特に制限はなく、例えば図７に示した従来と同様の構成であってもよい。
【００２３】
電子銃４の構成も特に制限はなく、例えば図８に示した従来と同様の構成であってもよい。即ち、電子銃４は、陰極９、制御電極１０、加速電極１１、第１集束電極１２、第２集束電極１３、陽極電極１４をこの順に有する。陽極電極１４の第２集束電極１３とは反対側の端面にはトップユニットが接続される。制御電極１０には電位Ｖｇ１が、加速電極１１には電位Ｖｇ２が、第１集束電極１２には電位Ｖｆｏｃ１が、第２集束電極１３には偏向に応じてダイナミックに変化する電位Ｖｆｏｃ２が、陽極電極１４には電位Ｖａが、それぞれ印加される。加速電極１１と第１集束電極１２との間にプリフォーカスレンズが形成され、第１集束電極１２と第２集束電極１３との間に四極レンズが形成され、第２集束電極１３と陽極電極１４との間に主レンズが形成される。第１集束電極１２と第２集束電極１３との間に形成される四極レンズによって、画面中央部と画面周辺部とで集束力を変化させ、画面全域にわたって良好なフォーカス性能を実現している。
【００２４】
図１（Ａ）〜図１（Ｃ）に示すように、本発明の陰極線管装置に使用されるアンテナゲッター５は、ゲッター物質（例えばバリウム）を保持するゲッター容器５１と、ゲッター容器５１を保持するゲッター支持用支柱（以下、「支柱」という）５２と、ゲッター容器５１の底面に溶接固定されたサポートワイヤー５３とを備える。従来の支柱１６と同様に、支柱５２の一端は電子銃４の先端に設けられた円筒形状のトップユニットに溶接されており、他端はゲッター容器５１の底面に溶接されている。サポートワイヤー５３の一端はゲッター容器５１に溶接され、他端には、ファンネル２の内面と接触するコンタクト部５３ａを備える。
【００２５】
図２に、ゲッター容器５１がサポートワイヤー５３を介してファンネル２の内面に接触している状態を示す。図２（Ａ）は、ゲッター容器５１が正常姿勢の場合、図２（Ｂ）はゲッター容器５１がファンネル２の内面に対して傾いている場合である。
【００２６】
図２（Ａ）に示すように、ゲッター容器５１は、支柱５２の弾性力により、サポートワイヤー５３及びその先端のコンタクト部５３ａを介してファンネル２の内面に１点で所定の押力Ｆで圧接される。
【００２７】
図１２（Ａ）及び図１２（Ｂ）で説明したように、支柱５２がＺ軸を含む面（例えばＹＺ面）と交差するように斜めに取り付けられた場合や、適正に取り付けられた後に、製造過程や運搬時、駆動時に陰極線管装置に外部から衝撃が加えられたことにより支柱５２が変形した場合には、図２（Ｂ）に示すように、ゲッター容器５１がファンネル２の内面に対して傾くことがある。このような場合あっても、サポートワイヤー１８の先端のコンタクト部５３ａはファンネル２の内面から離れることがない。また、コンタクト部５３ａのファンネルの内面に対する押力もほとんど変化しない。
【００２８】
このように、本発明では、アンテナゲッター５の先端が、ファンネル２の内面に、１点で、即ち、サポートワイヤー５３の先端の１つのコンタクト部５３ａのみで接触するので、ファンネル２の内面に対するゲッター容器５１の傾きにかかわらず、ゲッター容器５１は常に所望の押力でファンネル２の内面に圧接される。従って、電子銃４の第２集束電極１３にダイナミックフォーカス電圧が印加されることにより発生した振動がサポートワイヤー５３に伝達されたとしても、ファンネル２との間で可聴域の周波数成分を含む共振現象の発生を防ぐことができるので、陰極線管装置の周囲で人間の耳にノイズ音が認識されることはない。
【００２９】
コンタクト部５３ａのファンネル２の内面に対する押力Ｆは、０．０２５Ｎ≦Ｆ≦０．２Ｎを満足することが好ましい。押力Ｆがこの下限値より小さいと、ダイナミックフォーカス電圧の印加時における本発明のノイズ発生防止効果が低減する。押力Ｆをこの上限値より大きくしても、本発明のノイズ発生防止効果はほとんど改善されず、また、コンタクト部５３ａがファンネル２の内面に形成された導電性材料（ダック）を剥離するおそれが増大する。
【００３０】
図１（Ａ）〜図１（Ｃ）に示すように、サポートワイヤー５３のファンネル２の内面に接触するコンタクト部５３は、その曲率半径をＲ、幅をＷとしたとき、０．５ｍｍ≦Ｒ≦２４ｍｍ、１ｍｍ≦Ｗ≦８ｍｍを満たす凸曲面であることが好ましい。ここで、曲率半径Ｒ及び幅Ｗは、サポートワイヤー５３の長手方向とほぼ平行な方向（この方向は支柱５２の長手方向とほぼ一致する）に沿ってコンタクト部５３ａを投影した投影図により定義されるものとする。コンタクト部５３ａが上記条件を満足すると、ファンネル２の内面に対するゲッター容器５１の傾きにかかわらず、ダイナミックフォーカス電圧の印加時におけるノイズ発生防止効果を安定して得ることができる。曲率半径Ｒが下限値より小さいと、コンタクト部５３ａの先端が鋭利となるので、コンタクト部５３ａがファンネル２の内面に形成された導電性材料（ダック）を剥離するおそれが増大する。曲率半径Ｒが上限値より大きい場合、及び、幅Ｗが下限値より小さい場合には、ゲッター容器５１がわずかに傾いただけでコンタクト部５３ａの外周端がファンネル２の内面に接触してしまうので、本発明のノイズ発生防止効果が低減する。幅Ｗを上限値より大きくしても、本発明のノイズ発生防止効果はほとんど改善されず、また、ゲッター容器５１のファンネル２の内面からの距離の増大を招き、電子ビームがゲッター容器５１に衝突する可能性が増大する。
【００３１】
図３に示すように、サポートワイヤー５３の、ゲッター容器５１との溶接部分及びコンタクト部５３ａを除いた中間領域に、スリット孔（貫通孔）５４が形成されていることが好ましい。これにより、ゲッター物質の高周波加熱の工程において、サポートワイヤー５３に渦電流が発生してサポートワイヤー５３が急激に温度上昇し、サポートワイヤー５３と接触しているファンネル２に熱衝撃によるクラックが発生することを抑制することが可能となる。
【００３２】
図４（Ａ）及び図４（Ｂ）に示すように、支柱５２とサポートワイヤー５３とが一個の部品として一体成形されていることが好ましい。例えば、金属板材をプレス成形することにより、図４（Ａ）及び図４（Ｂ）に示す一体化部品５５を容易に得ることができる。この一体化部品５５の部分５６がゲッター容器５１の底面に溶接される。このような一体化部品を用いることにより、部品点数及び溶接工程数の削減によるコストの低減と、溶接作業におけるばらつきを低減することが可能となる。
【実施例】
【００３３】
以下に、画面アスペクト比が４：３、対角サイズが２９インチの図７に示すカラー陰極線管装置に本発明を適用した実施例を示す。
【００３４】
電子銃４として図８に示すダイナミックフォーカスタイプのインライン型電子銃を用いた。
【００３５】
制御電極１０を接地し（即ち０［Ｖ］）、加速電極１１に４００〜１０００［Ｖ］、第１集束電極１２に５〜１０［ｋＶ］を印加した。第２集束電極１３には、５〜１０［ｋＶ］のＤＣ成分に、偏向に応じてダイナミックに変化する１００〜２０００［Ｖ］のパラボラ状のダイナミック電圧を重畳して印加した。パラボラ状のダイナミック電圧の波形図を図５に示す。縦軸は電圧、横軸は時間を示す。このダイナミック電圧の周波数（水平同期周波数）は、映像信号の種類によって異なり、ＮＴＳＣ信号の場合は１５．７５［ｋＨｚ］、ＨＤ信号の場合は３１．５［ｋＨｚ］である。実施例では３１．５［ｋＨｚ］とした。陽極電極１４には２９．５［ｋＶ］を印加した。
【００３６】
アンテナゲッター５を構成する支柱５２として、プレス成形された幅４ｍｍ、長さ１２０ｍｍのステンレス鋼材を用いた。支柱５２の一端を電子銃４の先端のトップユニットに溶接した。
【００３７】
ゲッター容器５１として、ステンレス鋼材からなり、直径φ２０ｍｍのカップ形状を有する部材を用いた。この内部に、ゲッター物質（バリウム）を保持させた。ゲッター容器５１の裏面に上記支柱５２の他端を溶接固着した。
【００３８】
サポートワイヤー５３として、幅３．４ｍｍ、長さ１７．５ｍｍの１つのステンレス鋼材を用いた。その一端には、曲率半径３．２５ｍｍの、ファンネル２の内面と接する側の面に凸の略球面形状のコンタクト部５３ａを形成し、他端をゲッター容器５１の裏面に溶接固着した。
【００３９】
ゲッター容器５１を、支柱５２の弾性力により、サポートワイヤー５３を介してファンネル２の内面に１点で圧接させた。このとき、支柱５２は、ファンネル２の内面と１〜４ｍｍの距離を保って該内面に沿って配置された。サポートワイヤー５３は、その一端に形成した凸曲面を有するコンタクト部５３ａでファンネル２の内面と略点接触した。コンタクト部５３ａのファンネル２の内面に対する押力Ｆは、０．０８Ｎであった。
【００４０】
上記のサポートワイヤー５３に代えて、図１０（Ａ）及び図１０（Ｂ）に示した、２本の脚部１８ａ，１８ｂを有し、ファンネル２の内面と２点Ｐａ，Ｐｂで接触する従来のサポートワイヤー１８を用いる以外は上記実施例と同様にして、カラー陰極線管装置を製作した。これを比較例１とする。
【００４１】
また、アンテナゲッター５を有しない以外は上記実施例と同様にして、カラー陰極線管装置を製作した。これを比較例２とする。
【００４２】
上記の実施例、比較例１，２のカラー陰極線管装置を動作させ、そのとき発生するノイズを、その周囲で測定してた。図６に、周波数帯域ごとのノイズの音圧レベル［ｄＢ］を示す。図６より、本発明に係る実施例のカラー陰極線管装置では、その周囲において、人間の耳に認識される可聴域のノイズの発生が抑えられていることが分かる。
【産業上の利用可能性】
【００４３】
本発明の利用分野は特に限定されず、例えばテレビジョンまたはコンピュータディスプレイ等の陰極線管装置として広範囲に利用できる。
【図面の簡単な説明】
【００４４】
【図１】（Ａ）は、本発明の陰極線管装置において、アンテナゲッターの主要部を示した底面図、（Ｂ）はその側面図、（Ｃ）はその正面図である。
【図２】本発明の陰極線管装置において、ゲッター容器の底面に取り付けられたサポートワイヤーがファンネルの内面に接触している状態を示した正面図であり、（Ａ）はゲッター容器が正常姿勢の場合、（Ｂ）はゲッター容器がファンネルの内面に対して傾いている場合をそれぞれ示す。
【図３】本発明の陰極線管装置において、サポートワイヤーの別の例を示した底面図である。
【図４】（Ａ）は、本発明の陰極線管装置において、ゲッター支持用支柱とサポートワイヤーとが一体成形された部品の側面図、（Ｂ）はその平面図である。
【図５】本発明の一実施例に係る陰極線管装置において、第２集束電極に印加したパラボラ状のダイナミック電圧の波形図である。
【図６】実施例、比較例１，２のカラー陰極線管装置の動作時のノイズの測定結果を示した図である。
【図７】陰極線管装置の一例の概略構成を示した断面図である。
【図８】電子銃の概略構成を示した分解斜視図である。
【図９】従来の陰極線管装置において、ネック部からファンネルに至る部分の拡大断面図である。
【図１０】（Ａ）は、従来の陰極線管装置において、パネル側からアンテナゲッターを見た正面図、（Ｂ）は、従来の陰極線管装置において、ゲッター容器の底面に取り付けられたサポートワイヤーがファンネルの内面に接触している状態を示した正面図である。
【図１１】（Ａ）は、従来の陰極線管装置において、電子銃にアンテナゲッターが適切に取り付けられた状態を示した下面図、（Ｂ）はその正面図である。
【図１２】（Ａ）は、従来の陰極線管装置において、電子銃にアンテナゲッターが不適切に取り付けられた状態の一例を示した下面図、（Ｂ）はその正面図である。
【図１３】（Ａ）は、従来の陰極線管装置において、不適切に取り付けられたアンテナゲッターをパネル側から見た正面図、（Ｂ）は、ゲッター容器の底面に取り付けられたサポートワイヤーの脚部の一方がファンネル内面と離れた状態を示した正面図である。
【図１４】従来の陰極線管装置において、丸型コーン及び角型コーンの内面のＸＹ断面形状を示した図である。
【図１５】従来の陰極線管装置において、ゲッター容器の底面に取り付けられたサポートワイヤーがファンネルの内面に接触している状態を示した図であり、（Ａ）は丸型コーンの場合、（Ｂ）は角型コーンの場合を示す。
【符号の説明】
【００４５】
１  パネル
２  ファンネル
３  ネック部
４  電子銃
５  アンテナゲッター
６  偏向ヨーク
８  電子ビーム
９  陰極
１０  制御電極
１１  加速電極
１２  第１集束電極
１３  第２集束電極
１４  陽極電極
１５  トップユニット
１６  ゲッター支持用支柱
１７  ゲッター容器
１８  サポートワイヤー
１８ａ，１８ｂ  脚部
５１  ゲッター容器
５２  ゲッター支持用支柱
５３  サポートワイヤー
５３ａ  コンタクト部
５４  スリット孔
【図１】
2006164886.tif 000003
【図２】
2006164886.tif 000004
【図３】
2006164886.tif 000005
【図４】
2006164886.tif 000006
【図５】
2006164886.tif 000007
【図６】
2006164886.tif 000008
【図７】
2006164886.tif 000009
【図８】
2006164886.tif 000010
【図９】
2006164886.tif 000011
【図１０】
2006164886.tif 000012
【図１１】
2006164886.tif 000013
【図１２】
2006164886.tif 000014
【図１３】
2006164886.tif 000015
【図１４】
2006164886.tif 000016
【図１５】
2006164886.tif 000017